(57)【特許請求の範囲】
【請求項１】
可撓性を有し平坦な内周面にインク通過性の開口を有する円筒形の周壁を備え、該周壁の外周面に製版された孔版原紙が前記開口を覆って巻装されて自身の中心軸線の回りに回転する版胴と、
前記版胴の外部に前記版胴と所定の間隔をおいて前記版胴と平行に設けられた裏押しローラと、
前記版胴の内部に前記版胴と平行に設けられ、前記周壁を径方向外方に押圧して変形させる印刷位置と前記変形が解除される非印刷位置との間で移動可能とされた中押しローラとを有し、
前記印刷位置にある前記中押しローラによって変形した前記版胴と前記裏押しローラとの間に印刷用紙を挟んで搬送することによりインクが開口から孔版原紙の穿孔部を通過して印刷用紙に転移することにより孔版印刷を行う孔版印刷装置において、
前記印刷位置において前記周壁を押圧している前記中押しローラの軸方向の両側に間隔をおいて前記周壁を外側に向けて押圧する周壁押圧部材を設け、周壁の中央部分を中押しローラで直接押さえて裏押しローラに押しつけ、中押しローラの幅の範囲から外れた両外側の開口の周囲の周壁であって前記孔版原紙が巻装された部分を周壁押圧部材で押さえて裏押しローラに密着させることにより、開口から出たインクを孔版原紙と周壁の隙間から版胴の軸方向の外側に漏れ出ないように密封する構成としたことを特徴とする孔版印刷装置。
【請求項２】
前記版胴の内部の所定位置に設けられたフレームと、前記フレームに基端部が揺動可能に取り付けられるとともに先端部に前記中押しローラが回動可能に取り付けられる主アームと、前記主アームを前記版胴の回動に同期して揺動させることにより前記中押しローラを移動させる駆動機構とを有し、
前記裏押しローラが、前記版胴と略同径で印刷用紙の先端を係止するクランプ機構を備えた紙胴である請求項１記載の孔版印刷装置。
【請求項３】
印刷時に、前記版胴の軸方向に関する前記周壁の両端部が前記周壁押圧部材に押圧されて前記裏押しローラ側に押しつけられる請求項１記載の孔版印刷装置。
【請求項４】
前記周壁押圧部材が、前記中押しローラと実質的に同軸・同径であり、弾性変形可能な材料で構成された補助ローラであることを特徴とする請求項２記載の孔版印刷装置。
【請求項５】
前記周壁押圧部材が、前記中押しローラと平行で所定間隔離れた軸線を有し、前記中押しローラよりも小さい外径を有し、剛体で構成された補助ローラであることを特徴とする請求項２記載の孔版印刷装置。
【請求項６】
前記主アームに揺動可能に取り付けられるとともに先端部に前記補助ローラが回動可能に取り付けられる補助アームと、前記補助ローラが前記周壁に接近する方向に前記補助アームを付勢する付勢手段と、前記補助ローラの底部が前記非印刷位置にある前記中押しローラの底部と略一致するように前記補助アームを所定位置に係止するストッパとを有する請求項５記載の孔版印刷装置。
【請求項７】
前記中押しローラを移動させる前記駆動機構は、駆動手段と、前記駆動手段に駆動されて２つの位置に選択的に設定されるカムと、前記カムに連動するとともに前記主アームに連結されたカムフォロアとを有し、前記駆動手段によって前記カムを任意の位置に選択的に設定することにより、前記カムフォロアを介して前記主アームを移動させ、前記中押しローラを印刷位置と非印刷位置に選択的に設定するカム機構であり、
前記紙胴の前記クランプ機構は、紙胴の外周面に印刷用紙を固定するクランプ部材と、前記クランプ部材を駆動するカム機構とを有している請求項２記載の孔版印刷装置。
【発明の詳細な説明】
【０００１】
【発明の属する技術分野】
本発明は、変形可能な周壁を有する版胴と、版胴の内部に昇降可能に設けられた中押しローラと、版胴の外に設けられた裏押しローラとを有する孔版印刷装置に関する。この孔版印刷装置は、周壁を中押しローラで押圧して変形させ、変形した版胴と裏押しローラの間に印刷用紙を挟んで搬送し、版胴の内部からインクを供給して印刷用紙に印刷を行う。特に本発明は、前記孔版印刷装置において、版胴と裏押しローラに挟まれた印刷用紙の両縁でインクが漏れるのを防止した孔版印刷装置に関する。
【０００２】
【従来の技術】
図１１及び図１２を参照して前述した構造の孔版印刷装置と、その問題点を説明する。図１１に示すように、この孔版印刷装置は、中空円筒状の版胴１００と、版胴１００の外に設けられた裏押しローラ１０１を有している。版胴１００と裏押しローラ１０１は所定間隔をおいて配置され、中心軸は互いに平行である。
【０００３】
まず、版胴１００は、所定間隔をおいて互いに対向して配置された２個の環状部１０２を有している。この２個の環状部は連結板によって連結されている。環状部１０２の外周面には、可撓性の周壁１０４が巻き付けられている。周壁１０４の一縁は連結板に固定されており、他端は連結板にばねで連結されている。周壁１０４には、略矩形でインク通過性の開口１０５が形成されている。この開口１０５が印刷領域に相当する。図示しないが、版胴１００の内部にはインク供給手段が設けられ、その内周面にインクを供給することができる。
【０００４】
前記両環状部１０２は１本の軸１０３によって同軸に貫通されている。軸１０３は印刷装置のフレーム内に支持されている。従って、版胴１００は軸１０３に対して回転可能である。版胴１００は印刷装置内の図示しない駆動手段に駆動され、軸１０３に対して回転する。
【０００５】
版胴１００の内部において、前記軸１０３にはフレーム１１０が取り付けられている。フレーム１１０は版胴１００が回転しても位置を変えない。このフレーム１１０には、一対の主アーム１１１の各基端部が回動可能に取り付けられている。２つの主アーム１１１の各先端の間には、中押しローラ１１２が回動可能に支持されている。中押しローラ１１２の中心軸は軸１０３と平行である。主アーム１１１が揺動すれば、中押しローラ１１２は版胴１００内で昇降する。中押しローラ１１２は、周壁１０４を径方向外方に押圧して変形させる印刷位置（図１２参照）と、変形が解除される非印刷位置（図１１参照）との間で移動する。
【０００６】
図示しない連動機構の作用により、版胴１００の回動に同期して主アーム１１１が揺動する。主アーム１１１の揺動により、中押しローラ１１２は周壁１０４を押す下方の印刷位置と、周壁１０４から離れた上方の非印刷位置との間で移動する。中押しローラ１１２に押された周壁１０４は外に向けて変形する。
【０００７】
版胴１００の周壁１０４の外周面に、製版された孔版原紙１０７を巻く。版胴１００を回転させると、これに同期して中押しローラ１１２が昇降する。所定のタイミングで版胴１００と裏押しローラ１０１の間に印刷用紙１０８を供給する。印刷用紙１０８は、中押しローラ１１２に押されて変形した周壁１０４と、裏押しローラ１０１の間に挟まれて搬送される。その間に、インク１２０が開口１０５から孔版原紙１０７の穿孔部を通過して印刷用紙１０８に転移し、孔版印刷が行われる。
【０００８】
【発明が解決しようとする課題】
図１２に示すように、前述した従来の孔版印刷装置によれば、中押しローラ１１２で変形した版胴１００と裏押しローラ１０１とに挟まれた印刷用紙１０８の両縁からインク１２０が漏れるという問題があった。
【０００９】
従来の前記孔版印刷装置によれば、中押しローラ１１２の周壁１０４に対する印圧は、軸方向の両端において高い。この高い印圧のために、中押しローラ１１２が押し出した周壁１０４は、図１２に示すように軸方向の両側が折れ曲がるような変形をみせる。即ち、中押しローラ１１２に直接押されている周壁１０４の中央部分は裏押しローラ１０１に押しつけられるが、中押しローラ１１２の幅の範囲から外れた両外側の部分は裏押しローラ１０１の表面から浮き上がってしまう。印刷時にもかかわらず、版胴１００の周壁１０４と裏押しローラ１０１の間に隙間が生じてしまうのである。
【００１０】
このため、周壁１０４の軸方向の両端においては、印刷時に孔版原紙１０７と周壁１０４の間からインク１２０が外にはみ出してしまい、版胴１００や裏押しローラ１０１をインク１２０で汚してしまうという問題があった。
【００１１】
本発明は、変形可能な周壁を有する版胴と、版胴の内部に昇降可能に設けられた中押しローラと、版胴の外に設けられた裏押しローラとを有する孔版印刷装置において、中押しローラで変形した版胴と裏押しローラとに挟まれた印刷用紙の両縁からインクが漏れないようにすることを目的としている。
【００１２】
【課題を解決するための手段】
請求項１に記載された孔版印刷装置は、可撓性を有し平坦な内周面にインク通過性の開口（１０５）を有する円筒形の周壁（９，１０４）を備え、該周壁の外周面に製版された孔版原紙（１０７）が前記開口を覆って巻装されて自身の中心軸線の回りに回転する版胴（１，２００，３００）と、
前記版胴の外部に前記版胴と所定の間隔をおいて前記版胴と平行に設けられた裏押しローラ（６３，１０１）と、
前記版胴の内部に前記版胴と平行に設けられ、前記周壁を径方向外方に押圧して変形させる印刷位置と前記変形が解除される非印刷位置との間で移動可能とされた中押しローラ（２３，１１２）とを有し、
前記印刷位置にある前記中押しローラによって変形した前記版胴と前記裏押しローラとの間に印刷用紙（１０８）を挟んで搬送することによりインクが開口から孔版原紙の穿孔部を通過して印刷用紙に転移することにより孔版印刷を行う孔版印刷装置において、
前記印刷位置において前記周壁を押圧している前記中押しローラの軸方向の両側に間隔をおいて前記周壁を外側に向けて押圧する周壁押圧部材（２０１，３０１）を設け、周壁の中央部分を中押しローラで直接押さえて裏押しローラに押しつけ、中押しローラの幅の範囲から外れた両外側の開口の周囲の周壁であって前記孔版原紙が巻装された部分を周壁押圧部材で押さえて裏押しローラに密着させることにより、開口から出たインクを孔版原紙と周壁の隙間から版胴の軸方向の外側に漏れ出ないように密封する構成としたことを特徴としている。
【００１３】
請求項２に記載された孔版印刷装置は、請求項１記載の孔版印刷装置において、前記版胴（１，２００，３００）の内部の所定位置に設けられたフレーム（１７，１１０）と、前記フレームに基端部が揺動可能に取り付けられるとともに先端部に前記中押しローラが回動可能に取り付けられる主アーム（２１，１１１）と、前記主アームを前記版胴の回動に同期して揺動させることにより前記中押しローラを移動させる駆動機構（カム機構Ａ）とを有し、前記裏押しローラが、前記版胴と略同径で印刷用紙の先端を係止するクランプ機構（クランプ部材６７、カム機構Ｃ）を備えた紙胴（６３）であることを特徴としている。
【００１４】
請求項３に記載された孔版印刷装置は、請求項１記載の孔版印刷装置において、印刷時に、前記版胴の軸方向に関する前記周壁の両端部が前記周壁押圧部材（２０１，３０１）に押圧されて前記裏押しローラ（６３，１０１）側に押しつけられることを特徴としている。
【００１５】
請求項４に記載された孔版印刷装置は、請求項２記載の孔版印刷装置において、前記周壁押圧部材が、前記中押しローラと同軸で実質的に同径であり、弾性変形可能な材料で構成された補助ローラ（２０１）であることを特徴としている。
【００１６】
請求項５に記載された孔版印刷装置は、請求項２記載の孔版印刷装置において、前記周壁押圧部材が、前記中押しローラと平行で所定間隔離れた軸線を有し、前記中押しローラよりも小さい外径を有し、剛体で構成された補助ローラ（３０１）であることを特徴としている。
【００１７】
請求項６に記載された孔版印刷装置は、請求項５記載の孔版印刷装置において、前記主アーム（２１，１１１）に揺動可能に取り付けられるとともに先端部に前記補助ローラ（３０１）が回動可能に取り付けられる補助アーム（３０２）と、前記補助ローラが前記周壁に接近する方向に前記補助アームを付勢する付勢手段（引っ張りコイルばね３０１）と、前記補助ローラの底部が前記非印刷位置にある前記中押しローラの底部と略一致するように前記補助アームを所定位置に係止するストッパ（３０５）とを有することを特徴としている。
【００１８】
請求項７に記載された孔版印刷装置は、請求項２記載の孔版印刷装置において、前記中押しローラを移動させる前記駆動機構と、前記紙胴の前記クランプ機構の構成に特徴を有する。即ち、前記駆動機構は、駆動手段（電磁クラッチ４５）と、前記駆動手段に駆動されて２つの位置に選択的に設定されるカム（外形板カム３５）と、前記カムに連動するとともに前記主アームに連結されたカムフォロア（カムフォロアローラ３９）とを有しており、前記駆動手段によって前記カムを任意の位置に選択的に設定することにより、前記カムフォロアを介して前記主アーム（２１）を移動させ、前記中押しローラ（スキージローラ２１）を印刷位置と非印刷位置に選択的に設定するカム機構（Ａ）である。また、前記紙胴（６３）の前記クランプ機構は、紙胴の外周面に印刷用紙を固定するクランプ部材（６７）と、前記クランプ部材を駆動するカム機構（Ｃ）とを有している。
【００１９】
本発明、特に請求項４記載の孔版印刷装置によれば、中押しローラの軸方向の両側に補助ローラがある。このため、周壁の中央部分は中押しローラに直接押されて裏押しローラに押しつけられ、中押しローラの幅の範囲から外れた両外側の部分は、補助ローラに押さえられて裏押しローラに密着する。従って、この部分が裏押しローラの表面から浮き上がってしまうことはない。印刷時には、版胴の周壁と裏押しローラは、孔版原紙と印刷用紙を挟んで密着する。
【００２０】
このように、印刷領域の周囲の周壁は裏押しローラに密着するので、印刷領域から出たインクは密封されて外に漏れない。即ち、印刷領域から出たインクが孔版原紙と周壁の隙間を経て版胴の軸方向の外側に漏れ出ることはない。
【００２１】
本発明、特に請求項６記載の孔版印刷装置によれば、補助ローラの軸と中押しローラの軸は一致せず、補助ローラの外径は中押しローラの外径よりも小さい。このため、補助アーム等の部材が必要になるが、限定された版胴内の空間で場所をとらず、コンパクトにまとめて配置できる。また、引っ張りコイルばねにより補助ロールが周壁を押す力は常に一定である。版胴と裏押しローラで挟まれた印刷用紙の両側からインクが漏れることはない。
【００２２】
【発明の実施の形態】
図１〜図６を参照して本発明の実施の形態の第１の例を説明する。
本発明は、本発明者がインナープレス機構と称している印刷機構を備えた孔版印刷装置に適用される。具体的に説明する前に、インナープレス機構の概略を簡単に説明する。
【００２３】
インナープレス機構を備えた孔版印刷装置は、弾性変形可能な周壁を有する版胴と、版胴の内部に昇降可能に設けられた中押しローラと、版胴の内部に設けられたインク供給手段と、版胴の外に設けられた裏押しローラとを有している。版胴と裏押しローラは所定の間隔をおいて互いに平行に配置されている。変形していない版胴は裏押しローラには接触しない。中押しローラが版胴の内面を押して外向きに変形させると、版胴の変形した部分が裏押しローラに接触する。製版された孔版原紙を版胴に巻き付ける。回転している版胴と、裏押しローラの間に印刷用紙を供給し、これにタイミングを合わせて中押しローラで版胴を変形させる。用紙は版胴の孔版原紙と裏押しローラの間に挟まれて搬送されながら、孔版印刷されて送りだされる。
【００２４】
次に、本発明を適用しうるインナープレス機構を有する孔版印刷装置の具体的な構造例について、図１から図４を参照して説明する。
【００２５】
版胴１は、両端に配置された円板形の二枚の側板３と、二枚の側板３を連結する軸線方向に平行な剛性のクランプベース板５と、側板の外周に巻かれた周壁９を備えている。
【００２６】
周壁９は、ステンレスワイヤなどの線材を網状に織製したものである。従って、可撓性を有しており、印刷インキが通過できる。
【００２７】
クランプベース板５にはクランプ板１１が回動可能に取り付けられている。クランプ板１１は、孔版原紙の一端（先端）をクランプすることができる。孔版原紙は、その先端をクランプ板１１によりクランプベース板５に係止された後、周壁の外周面に巻き付けられる。
【００２８】
版胴１は、中心筒軸１３により自身の中心軸線に回転可能に支持されている。二枚の側板３の外周部には版胴駆動用歯車部１５が各々形成されている。また、版胴駆動用歯車部１５は、図示されていない版胴駆動モータの駆動歯車に噛合している。
【００２９】
版胴１内には、中心筒軸１３より支持された胴内枠体１７が固定配置されている。胴内枠体１７は枢軸１９によりローラ支持アーム２１の一端を略上下方向に揺動可能に支持している。ローラ支持アーム２１は、その中間部においてスキージローラ２３を回転可能に支持している。スキージローラ２３は、版胴１の中心軸線に平行に延在し、その外周面は可撓性周壁部７の内周面に摺接するようになっている。
【００３０】
ローラ支持アーム２１はスキージローラ２３の外周面に対して微小間隔をおいて平行に延在するドクタロッド２５を固定支持している。スキージローラ２３とドクタロッド２５の間には、楔形状のインキ溜まり部２７が形成される。また、版胴１内には、インキ溜まり部２７にインキを計量供給するインキデリバリパイプ２９がスキージローラ２３とドクタロッド２５の中心軸線と平行に延在している。インキデリバリパイプ２９には、インキ供給ホース３１が接続され、インキ供給ホース３１は、中心筒軸１３を通って版胴１外へ延び、版胴１外に設置されている不図示のインキ供給源に接続されている。
【００３１】
胴内枠体１７はカム軸３３を回転可能に支持している。胴内枠体１７には、カム軸３３に固定されているダブルハート形の外形板カム３５と、連係ヨーク部材３７に取り付けられたカムフォロアローラ３９とで構成されているカム機構Ａが設けられている。このカム機構Ａにおいて、外形板カム３５の９０度ずつの分割回転により、印刷実行回転位置と非印刷実行回転位置の二つの安定状態を択一的に得るようになっている。なお、連係ヨーク部材３７は枢軸４１によりローラ支持アーム２１の他端に連結されている。
【００３２】
カム軸３３は電磁クラッチ４３の従動側に接続され、電磁クラッチ４３は駆動側をカム軸駆動歯車４５に接続され、カム軸駆動歯車４５とカム軸３３とを選択的に駆動連結する。カム軸駆動歯車４５は版胴１の側板３に固定された胴内主歯車４７と噛合しており、版胴１の回転に伴い回転駆動されるようになっている。
【００３３】
胴内枠体１７には、リミットスイッチにより構成されたカムスイッチ４９が取り付けられており、カムスイッチ４９は、連係ヨーク部材３７に取り付けられたスイッチ動作片５１と係合している。
【００３４】
中心筒軸１３は胴内にてローラ駆動アーム５３の中間部を回動可能に支持している。ローラ駆動アーム５３の一端は中間歯車５５を回転可能に支持しており、他端は引張バネ５７と接続され、引張バネ５７のバネ力により図にて反時計廻り方向へ付勢されている。この付勢により中間歯車５５は胴内主歯車４７とスキージローラ２３の端部に同心に設けられた歯車５８とに噛合し、版胴１の回転に伴い回転されてスキージローラ２３を図にて反時計廻り方向へ、即ち版胴１と同方向に回転駆動するようになっている。
【００３５】
版胴１両端に取り付けられている円盤状の側板３には、版胴１内周面上に形成されている三日月状のカム部６１を有するカム６０と、カム６０上を摺接し、カム部６１に係合するカムフォロアローラ５９で構成されているカム機構Ｂが設けられている。カムフォロアローラ５９は、スキージローラ２３と同心であり、スキージローラ２３の端部に歯車５８を介して設けられている。
【００３６】
裏押しローラ６３は、版胴１と同一外形に構成され、中心軸６２により周壁７に対して所定間隔をおいて版胴１と平行に設けられている。裏押しローラ６３は版胴１の原紙クランプ部と対応する回転位置の外周部に原紙クランプ部との干渉を回避するための凹部６５を有している。
【００３７】
裏押しローラ６３には用紙クランプ部材６７が設けられている。用紙クランプ部材６７は、枢軸６９によって裏押しローラ６３に揺動自在に装着されている。用紙クランプ部材６７の一端には裏押しローラ６３の外周面と共働して印刷用紙Ｐを係脱可能にクランプするクランプ片７１が設けられている。
【００３８】
裏押しローラ６３には、印刷用紙Ｐをクランプし、又はその解除を行うカム機構Ｃが設けられている。カム機構Ｃは、裏押しローラ６３と同心に固定配置された略半月状カム７５と、枢軸６９によって支持されるクランプ片７１の他端に設けられているカムフォロアローラ７３で構成されている。略半月状のカム７５の外周は、図１及び図２における左平坦部７０と右平坦部７２と小径部７６とで形成されるカム部７４と、大径部７８とで形成されている。カム部７４は、左平坦部７０と小径部７６とで段部を形成しており、右平坦部７２は小径部７６の接線方向に延在している。カムフォロアローラ７３は、略半月状のカム７５の外周面を摺接し、カム部７４に係合する。
【００３９】
給紙部７７は、印刷用紙Ｐを積載する給紙台８１と、給紙台８１より印刷用紙Ｐを一枚ずつ取り出す給紙ローラ８３及び紙捌きローラ８５と、用紙ガイド部材８７と、印刷用紙Ｐを所定タイミングをもって裏押しローラ６３のクランプ片７１による用紙喰え込み位置へ送り込むタイミングローラ対８９と、印刷用紙Ｐが用紙喰え込み位置へ送り込まれたことを検出する光学式の給紙センサ９１を有している。なお、用紙喰え込み位置とは、裏押しローラ６３の回転に同期して図２にて左側の給紙部７７より供給される印刷用紙Ｐの先端をクランプする位置をいい、図２において符号ａにより示されている回転位置ａをいう。
【００４０】
排紙部７９は、用紙解放位置に配置され裏押しローラ６３と共働してピンチローラ作用を行って印刷用紙Ｐを排紙搬送する排紙ピンチローラ９３と、印刷用紙Ｐを裏押しローラ６３より引き離す用紙分離爪９５と、用紙分離爪９５よりの印刷用紙Ｐを印刷飛翔台へ送り出す排紙ピンチローラ対９９と、印刷済の印刷用紙Ｐを載置する排紙台９８と、印刷用紙Ｐが印刷飛翔台より排紙台９８へ向かって飛翔したことを検出する光学式の排紙センサ９６とを有している。なお、用紙解放位置とは、印刷用紙Ｐのクランプを解除する位置であって、クランプ片７１が裏押しローラ６３の回転により図１の右側の排紙部７９の側に回転移動した位置ｂをいう。
【００４１】
なお、排紙される印刷用紙Ｐの上面、即ち印刷画像面に摺接する排紙ピンチローラ９３と排紙ピンチローラ対９９の上側ローラは各々、印刷用紙Ｐの両側の余白部（非印刷マージン部）にのみ摺接する。これらローラは、印刷用紙Ｐの幅方向寸法の如何にかかわらず印刷用紙Ｐの両側余白部にのみ摺接すべく給紙台８１上にセットされた印刷用紙Ｐのサイズに応じて軸線方向位置を自動調整される。この場合、給紙台８１には、図には示されていないが、印刷用紙Ｐのサイズを検出する用紙サイズセンサが設けられている。
【００４２】
上記構成の孔版印刷装置の動作について説明する。まず、製版された孔版原紙が版胴１の外周面に巻き付け装着される。着版完了後に、図示されていない操作パネルのテンキーにより印刷枚数を入力し、その後スタートキーを押下する。すると、版胴１の版胴駆動用歯車部１５と版胴駆動モータの駆動歯車の噛合により、版胴１が中心筒軸１３を固定支持軸体として図にて反時計廻り方向へ回転駆動される。
【００４３】
裏押しローラ６３の凹部６５が版胴１に対面する回転位相において、カムフォロアローラ５９は、版胴１の回転により版胴１の内周面に形成されたカム部６１と係合する。カムフォロアローラ５９は、カム部６１との係合によりスキージローラ２３を版胴の原紙クランプ領域に対応する回転位相の時に持ち上げ、即ち径方向内方へ移動させ、スキージローラ２３を周壁７の内周面から離す。これによって、クランプベース板５と裏押しローラ６３の凹部６５の角部との衝突が避けられる。衝突音の発生が防止され、周壁９は保護される。
【００４４】
また、操作パネルのスタートキーが押下されると、版胴１と同様、裏押しローラ６３も、自身の中心軸線周りに図示されていない同期回転駆動装置により版胴１と同一速度で図にて時計廻り方向へ同期回転駆動される。
【００４５】
この版胴１と裏押しローラ６３との回転開始とともに、給紙ローラ８３及び紙捌きローラ８５により給紙台８１から印刷用紙Ｐが一枚ずつ取り出され、これが用紙ガイド部材８７に案内されつつタイミングローラ対８９へ向かう。
【００４６】
版胴１と裏押しローラ６３とが所定の回転位相位置にまで回転すると、タイミングローラ対８９が所定タイミングをもって印刷用紙Ｐを裏押しローラ６３のクランプ片７１による用紙喰え込み位置ａへ送り込む。
【００４７】
次にカムスイッチ４９がオン状態でなければ、電磁クラッチ４３に対して所定時間にわたって通電が行われる。これによりカムが９０度回転してこれが印刷実行回転位置に位置する。このときカムスイッチ４９とスイッチ動作片５１の係合により、外形板カム３５が印刷実行回転位置に位置していることを検出する。
【００４８】
スキージローラ２３は降下し、版胴１の周壁７の内周面に接する。版胴１の回転に伴い、スキージローラ２３は周壁７を径方向外方へ押圧し、周壁７を裏押しローラ６３へ向けて変形させる。
【００４９】
このとき、インキ溜まり部２７のインキは、スキージローラ２３の図にて反時計廻り方向の回転により、ドクタロッド２５との微小間隔を通過する際に計量されており、スキージローラ２３の外周面に所定厚さをもって層状に付着した後、スキージローラ２３の回転により周壁７の内周面に対し運ばれ、その内周面にスキージングされる。
【００５０】
また、裏押しローラ６３の回転に同期して図２において左側の給紙部７７より印刷用紙Ｐが供給されると、カム機構Ｃにおける係合により、用紙喰え込み位置ａで印刷用紙Ｐの先端がクランプされる。そして、印刷用紙Ｐは、裏押しローラ６３の回転により裏押しローラ６３の外周面に巻き付いて版胴１との対接部、この場合、周壁７の膨出変形部に向かう。これにより印刷用紙Ｐは、版胴外周面に巻き付け装着されている孔版原紙とともに、膨出変形した版胴１と裏押しローラ６３との間に所定の押圧力で挟まれる。印刷用紙Ｐは、版胴１と裏押しローラ６３の回転に伴い右方へ送られながら、孔版印刷を施される。
【００５１】
そして、クランプされた印刷用紙Ｐの先端が用紙開放位置ｂに達するまで版胴１と裏押しローラ６３が回転すると、クランプ片７１による印刷用紙Ｐのクランプが解除され、印刷用紙Ｐの搬送は排紙ピンチローラに引き継がれる。その後印刷用紙Ｐは、用紙分離爪９５によって裏押しローラ６３より引き離され、排紙ピンチローラ対９９により用紙飛翔台９７へ送り出され、用紙飛翔台９７より排紙台９８へ飛翔し、排紙台９８上に印刷画像面を上向きにして載置される。
【００５２】
なお、本例の裏押しローラ６３は、用紙喰え込み位置ａと用紙開放位置ｂの間において印刷用紙Ｐをローラ外周面に巻き付けて強制搬送する印刷用紙搬送機構を有する紙胴として作用することとなる。
【００５３】
以上説明したインナープレス機構を有する孔版印刷装置を前提として、本発明の実施の形態の一例を図５及び図６を参照して説明する。
本例における版胴及び裏押しローラの基本構造は、前述した従来の装置と同様であり、対応する部分には図１１及び図１２と同一の参照符号を付して説明を省略する。
【００５４】
本例の版胴２００は、周壁１０４の軸方向の両側が浮き上がるのを防止するための周壁押圧部材としての補助ローラ２０１をその内部に有している。補助ローラ２０１は、中押しローラの軸２０２の外端に取り付けられている。補助ローラ２０１は軸２０２に対して固定されてもよいし、回動可能に取り付けられてもよい。補助ローラ２０１と中押しローラ１１２の両方が、軸２０２に対して固定され、両ローラが同期して回転するようにしもよい。また、両ローラがそれぞれ軸２０２に対して独立に回転するようにしてもよい。
【００５５】
補助ローラは弾性変形可能な材料、例えばゴムによって構成されている。補助ローラの外径は、中押しローラの外径と略同一である。
【００５６】
以上の構成における作用を説明する。
版胴２００の周壁１０４の外周面に製版された孔版原紙１０７を巻く。版胴２００を回転させると、これに同期して中押しローラ１１２が昇降する。所定のタイミングで版胴２００と裏押しローラ１１２の間に印刷用紙１０８を供給する。印刷用紙１０８は、中押しローラ１１２に押されて外向きに変形した周壁１０４と、裏押しローラ１０１の間に挟まれて搬送される。その間に、インク１２０が開口２０５から孔版原紙１０７の穿孔部を通過して印刷用紙１０８に転移し、孔版印刷が行われる。
【００５７】
本孔版印刷装置によれば、中押しローラ１１２の軸方向の両側に、補助ローラ２０１がある。このため、周壁１０４の中央部分は中押しローラ１１２に直接押されて裏押しローラ１０１に押しつけられ、中押しローラ１１２の幅の範囲から外れた両外側の部分は、補助ローラに押さえられて裏押しローラ１０１に密着する。この部分が裏押しローラの表面から浮き上がってしまうことはない。印刷時には、版胴１００の周壁１０４と裏押しローラ１０１は、孔版原紙１０７と印刷用紙１０８を挟んで密着する。
【００５８】
このように、開口１０５の周囲の周壁１０４は裏押しローラ１０１に密着するので、開口１０５から出たインクは開口１０５内に密封されて外に漏れない。即ち、開口１０５から出たインクが孔版原紙１０７と周壁１０４の隙間を経て版胴の軸方向の外側に漏れ出ることはない。従って、従来のように版胴１００や裏押しローラ１０１がインク１２０で汚れることはない。
【００５９】
また、本例では、補助ローラと中押しローラは同軸で同外径なので、設計・製造が容易である。また一度両ローラを共通の軸に取り付けてしまえば、使用によって両ローラの軸がずれることは起こりにくく、維持管理が容易である。
【００６０】
また、本例では、補助ローラと中押しローラは同軸・同外径なので、中押しローラが印刷位置に下がった時に、補助ローラと中押しローラははほぼ同時に周壁に接触する。従って、補助ローラについては、周壁の両縁を押さえる機能とともに、中押しローラが周壁の中央を押圧する作用を妨害しないことが要求される。本例の補助ローラは中押しローラと同軸・同外径ではあるが、変形可能な弾性材料で形成されているので、補助ローラは周壁の周縁を押す際に変形することができる。このため、中押しローラと同軸・同径であるにも関わらず、本例の補助ローラは中押しローラによる周壁中央の押圧の障害にはならない。
【００６１】
本発明の実施の形態の第２の例を図７〜図１０を参照して説明する。
本例も第１の例と同様、図１〜図４に示したインナープレス機構の孔版印刷装置を前提とする。本例の基本構造の内、第１の例と対応する部分には図５及び図６と同一の参照符号を付して説明を省略する。本例における印刷時の動作は第１の例と略同様である。
【００６２】
本例の版胴３００は、周壁１０４の軸方向の両側が浮き上がるのを防止するための周壁押圧部材として、補助ローラ３０１をその内部に有している。補助ローラ３０１は、中押しローラ１１２と平行で所定間隔離れた軸線を有し、中押しローラ１１２よりも小さい外径を有し、剛体で構成されている。また、本例の補助ローラ３０１は、第１の例の補助ローラ２０１と異なり、中押しローラ１１２と同軸ではない。本例は、補助ローラ専用の支持機構を有している。
【００６３】
主アーム１１１には、補助アーム３０２の中央部分が軸３０３で揺動可能に取り付けられている。補助アーム３０２の一端部（中押しローラ１１２に近い側）には、前記補助ローラ３０１が回動可能に取り付けられている。補助アーム３０２の他端部（中押しローラ１１２から遠い側）は、付勢手段としての引っ張りコイルばね３０４を介して、主アーム１１１に連結されている。主アーム１１１には、補助アーム３０２の回動可能な範囲を規制する部材として、ストッパ３０５が取り付けられている。このストッパ３０５は、補助アーム３０２の引っ張りコイルばね３０４が設けられている側の上縁に面している。
【００６４】
図７及び図８は中押しローラ１１２が周壁１０４の内面に圧力を与えていない非印刷状態を示す。版胴３００は変形しておらず、裏押しローラ１０１との間には隙間がある。補助ローラ３０１は周壁１０４に接触しているが、これに負荷を加えてはいない。この状態では、引っ張りコイルばね３０４が補助アーム３０２の他端部を引っ張ってストッパ３０５に当接させている。この状態において、補助ローラ３０１の下端と中押しローラ１１２の下端は略一致している。
【００６５】
図９及び図１０は中押しローラ１１２が周壁の内面を下向きに押し出す印刷状態を示す。この時、補助ローラ３０１も周壁を下向きに押し出している。補助アーム３０２は、図１０において軸３０３を中心として時計回り方向に回動し、引っ張りコイルばね３０４を引き伸ばしている。このため、補助ローラ３０１は、引っ張りコイルばね３０４の弾性力により周壁１０４に下向きの負荷を加えている。
【００６６】
本孔版印刷装置によれば、中押しローラ１１２の軸方向の両側に、補助ローラ３０１がある。補助ローラは中押しローラ１１２に対して独立して移動可能であり、周壁１０４との接触時には引っ張りコイルばね３０４によって周壁１０４の両縁を適当な力で押圧することができる。このため、周壁１０４の中央部分は中押しローラ１１２に直接押されて裏押しローラ１０１に押しつけられ、中押しローラ１１２の幅の範囲から外れた両外側の部分は、補助ローラ３０１に押さえられて裏押しローラ１０１に密着する。この部分が裏押しローラ１０１の表面から浮き上がってしまうことはない。印刷時には、版胴３００の周壁１０４と裏押しローラ１０１は、孔版原紙１０７と印刷用紙１０８を挟んで密着する。
【００６７】
従って、本例によれば、第１の例と同様、版胴３００と裏押しローラ１０１で挟まれた印刷用紙１０８の両側からインクが漏れることはない。また、第２の例の場合には、補助ローラ３０１の軸と中押しローラ１１２の軸は一致せず、補助ローラ３０１の外径は中押しローラ１１２の外径よりも小さい。このため、補助アーム３０２等の部材が必要になるが、限定された版胴内の空間で場所をとらず、コンパクトにまとめて配置できる。また、引っ張りコイルばね３０４により補助ロール３０１が周壁１０４を押す力は常に一定である。
【００６８】
【発明の効果】
本発明は、中押しローラで周壁を押し出して変形させ、変形した周壁と版胴外の裏押しローラとの間に用紙を挟んで印刷するタイプの孔版印刷装置において、中押しローラの外側に、中押しローラと共に周壁の内面に接触する周壁押圧部材を設けた。このため、中押しローラの外側にある周壁が裏押しローラの表面から浮き上がることはない。従って、版胴と裏押しローラに挟まれた印刷用紙の両縁でインクが漏れるのを確実に防止することができる。
【図面の簡単な説明】
【図１】本発明を適用できる孔版印刷装置の一構造例を示す模式的な側面図であり、印刷状態を示す図である。
【図２】本発明を適用できる孔版印刷装置の一構造例を示す模式的な側面図であり、非印刷状態を示す図である。
【図３】本発明を適用できる孔版印刷装置の一構造例を示す斜視図であり、非印刷状態を示す図である。
【図４】本発明を適用できる孔版印刷装置の一構造例を示す斜視図であり、印刷状態を示す斜視図である。
【図５】本発明の実施の形態の第１の例における版胴と裏押しローラの一部を切り欠いた正面図であり、非印刷状態を示す図である。
【図６】本発明の実施の形態の第１の例における版胴と裏押しローラの一部を切り欠いた正面図であり、印刷状態を示す図である。
【図７】本発明の実施の形態の第２の例における版胴と裏押しローラの一部を切り欠いた正面図であり、非印刷状態を示す図である。
【図８】本発明の実施の形態の第２の例における版胴と裏押しローラの断面図であり、非印刷状態を示す図である。
【図９】本発明の実施の形態の第２の例における版胴と裏押しローラの一部を切り欠いた正面図であり、印刷状態を示す図である。
【図１０】本発明の実施の形態の第２の例における版胴と裏押しローラの断面図であり、印刷状態を示す図である。
【図１１】従来の孔版印刷装置における版胴と一部を切り欠いた裏押しローラの正面図である。
【図１２】従来の孔版印刷装置における版胴と一部を切り欠いた裏押しローラの正面図であり、インク漏れ状態を示す図である。
【符号の説明】
１，２００，３００  版胴
７  可撓性周壁部
９，１０４  周壁
１７，１１０  フレーム
２１  主アームとしてのローラ支持アーム
２３，１１２  中押しローラ
３５  外形板カムとしてのカム
３９  カムフォロアとしてのカムフォロアローラ
４５  駆動手段としての電磁クラッチ
６３  裏押しローラとしての紙胴
６７  クランプ部材
１０７  孔版原紙
１０８  印刷用紙
１１１  主アーム
１０１  裏押しローラ
２０１，３０１  周壁押圧部材としての補助ローラ
３０２  補助アーム
３０４  付勢手段としての引っ張りコイルばね
３０５  ストッパ
Ａ  カム機構
Ｃ  カム機構
Ｐ  印刷用紙
【図１】
0003597994.tif 000002
【図２】
0003597994.tif 000003
【図３】
0003597994.tif 000004
【図４】
0003597994.tif 000005
【図５】
0003597994.tif 000006
【図６】
0003597994.tif 000007
【図７】
0003597994.tif 000008
【図８】
0003597994.tif 000009
【図９】
0003597994.tif 000010
【図１０】
0003597994.tif 000011
【図１１】
0003597994.tif 000012
【図１２】
0003597994.tif 000013